【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】
少なくとも第１および第２アンテナのうちの少なくとも１つのアンテナから無線受信機に信号を結合するためのダイバーシティ受信装置であって、
ａ）前記第１アンテナからＲＦ信号を受信するために結合されるその第１端子を有し、ＲＦ信号加算ノードに結合される第２端子を有する第１ＰＩＮダイオードと、
ｂ）前記第２アンテナから前記ＲＦ信号を受信するために結合されるその第１端子を有し、前記ＲＦ信号加算ノードに結合される第２端子を有し、前記加算ノードがＤ．Ｃ．電圧源に結合されている第２ＰＩＮダイオードと、
ｃ）前記第１ＰＩＮダイオードの前記第１端子に可変電圧を供給するために、前記第１ＰＩＮダイオードの前記第１端子に結合される第１反応ネットワークと、
ｄ）前記第２ＰＩＮダイオードの前記第１端子に前記可変電圧を供給するために、前記第２ＰＩＮダイオードの前記第１端子に結合される第２反応ネットワークと、
ｅ）前記第１反応ネットワークと前記第２反応ネットワークに電圧を供給するために、前記第１反応ネットワークおよび前記第２反応ネットワークに結合される制御電圧源
とを含み、それにより前記第１および第２アンテナで受信される信号が、少なくとも前記第１ＰＩＮダイオードを制御することによって前記無線受信機に選択的に結合することができることを特徴とするダイバーシティ受信装置。
【請求項２】
前記第１端子のおのおのが陽極であることを特徴とする請求項１に記載のダイバーシティ受信装置。
【請求項３】
前記第２端子のおのおのが陰極であることを特徴とする請求項１に記載のダイバーシティ受信装置。
【請求項４】
前記加算ノードに結合される前記Ｄ．Ｃ．電圧源が、実質的にゼロボルトに等しい電圧源であることを特徴とする請求項１に記載のダイバーシティ受信装置。
【請求項５】
前記加算ノードに結合される前記Ｄ．Ｃ．電圧源が、ゼロボルトを上回る電圧源であることを特徴とする請求項１に記載のダイバーシティ受信装置。
【請求項６】
前記加算ノードに結合される前記Ｄ．Ｃ．電圧源が、ゼロボルト未満の電圧源であることを特徴とする請求項１に記載のダイバーシティ受信装置。
【請求項７】
前記第１ＰＩＮの前記第１端子に結合される前記第１反応ネットワークが、時間定数を有するＲ−Ｃネットワークから構成されることを特徴とする請求項１に記載のダイバーシティ受信装置。
【請求項８】
前記第２ＰＩＮの前記第１端子に結合される前記第２反応ネットワークが、前記時間定数を有する前記Ｒ−Ｃネットワークから構成されることを特徴とする請求項１に記載のダイバーシティ受信装置。
【請求項９】
前記制御電圧源がマイクロプロセッサから構成されることを特徴とする請求項１に記載のダイバーシティ受信装置。
【請求項１０】
前記制御電圧源がアナログ出力電圧を供給する前記マイクロプロセッサであることを特徴とする請求項１に記載のダイバーシティ受信装置。
【請求項１１】
前記制御電圧源が、前記第１アンテナからの履歴信号レベルを監視する前記マイクロプロセッサを含み、前記第１アンテナからの前記履歴信号レベルの平均が閾値信号レベル以下に低下すると、前記マイクロプロセッサが、前記第１アンテナから前記加算ノードに送達される現在の受信信号の減衰を実質的に連続的に増加し、前記第２アンテナから前記加算ノードに送達される現在の受信信号の減衰を実質的に連続的に減少するために、前記第１および第２反応ネットワークに制御電圧を供給することを特徴とする請求項１に記載のダイバーシティ受信装置。
【請求項１２】
前記マイクロプロセッサが、前記第１アンテナからの信号を減衰する前に、前記第２アンテナからの信号を減衰させないマイクロプロセッサを含むことを特徴とする請求項１に記載のダイバーシティ受信装置。
【請求項１３】
前記第１アンテナからの前記信号の信号レベルが、前記無線受信機によって発生される無線信号強度の相対的な信号強度インジケータによって示されることを特徴とする請求項１に記載のダイバーシティ受信装置。
【請求項１４】
前記第１アンテナからの前記信号の信号レベルが、前記無線受信機によって検出される前記ＲＦ信号から復調される音声信号の雑音レベルを示す信号によって示されることを特徴とする請求項１に記載のダイバーシティ受信装置。
【請求項１５】
前記ＲＦ信号加算ノードが無線受信機入力を備えることを特徴とする請求項１に記載のダイバーシティ受信装置。
【請求項１６】
ａ）第１アンテナから、無線受信機により受信される相対的な無線周波数信号強度の第１サンプルを得るステップと、
ｂ）前記第１アンテナから、前記無線受信機により受信される実行平均信号強度を計算するステップと、
ｃ）第２アンテナからの信号が前記受信機に結合される前に徐々に減衰されない一方、前記第１アンテナからの信号が、前記無線受信機に結合される前に徐々に減衰されなければならない無線周波数信号強度閾値信号レベルを計算するステップであって、そこで前記無線周波数信号強度閾値信号レベルが、前記相対的無線周波数信号強度の現在値を使用して動的に調整されるステップと、
ｄ）前記第１アンテナから受信される前記相対的無線周波数信号強度が前記無線周波数信号強度閾値信号レベル以下に低下すると、前記第２アンテナから前記無線受信機への信号レベル入力を増加し、前記第１アンテナから前記無線受信機への信号レベル入力を減少するステップ
とを含む、少なくとも前記第１および第２アンテナのうちの少なくとも１つを前記無線受信機に選択的に結合することを特徴とする方法。
【請求項１７】
前記相対的無線周波数信号強度の第１サンプルを得る前記ステップが、受信信号強度インジケータを読み取るステップを含むことを特徴とする請求項１６に記載の方法。
【請求項１８】
前記実行平均信号強度レベルを計算する前記ステップが、前記相対的無線周波数信号強度の第１サンプルをフィルタリングするステップを含むことを特徴とする請求項１６に記載の方法。
【請求項１９】
前記実行平均信号強度レベルを計算する前記ステップが、
ａ）前記第１サンプルを数値に変換するステップと、
ｂ）前記数値の実行平均を算術的に計算するステップ
とを含むことを特徴とする請求項１６に記載の方法。
【請求項２０】
少なくとも第１および第２アンテナのうちの少なくとも１つのアンテナからの信号を無線受信機に結合するためのダイバーシティ受信装置であって、
ａ）前記第１アンテナからＲＦ信号を受信するために結合される入力を有し、ＲＦ信号加算ノードに結合される出力を有する第１可変ＲＦ信号レベル減衰器と、
ｂ）前記第２アンテナから前記ＲＦ信号を受信するために結合される入力を有し、前記ＲＦ信号加算ノードに結合される出力を有する第２可変ＲＦ信号レベル減衰器と、
ｃ）前記加算ノードに結合されるＲＦ入力を有する前記無線受信機と、
ｄ）前記ＲＦ信号レベル減衰器の減衰レベルを制御するために、少なくとも前記第１可変減衰器に結合される、少なくとも１つの可変ＲＦ信号レベル減衰器制御装置
とを備え、それにより前記第１および第２アンテナで受信され、前記ＲＦ加算ノードに結合される前記ＲＦ信号が、少なくとも前記第１可変ＲＦ信号レベル減衰器を制御することによって、前記無線受信機に選択的に結合することができ、そこで、前記可変ＲＦ信号レベル減衰器制御装置の少なくとも１つが、前記第１アンテナからの履歴信号レベルを監視するマイクロプロセッサを含み、前記第１アンテナからの前記履歴信号レベルの平均が閾値信号レベル以下に低下すると、前記マイクロプロセッサが、前記第１アンテナから前記加算ノードに送達される現在の受信信号の減衰を実質的に連続的に増加し、前記第２アンテナから前記加算ノードに送達される現在の受信信号の減衰を実質的に連続的に減少するために、第１および第２反応ネットワークに制御電圧を供給することを特徴とするダイバーシティ受信装置。
【請求項２１】
少なくとも第１および第２アンテナの少なくとも１つのアンテナからの信号を無線受信機に結合するためのダイバーシティ受信方法であって、
ａ）前記第１アンテナからＲＦ信号を受信し、前記ＲＦ信号を無線受信機入力に結合するために結合される入力を有する第１可変ＲＦ信号レベル減衰器を使用するステップと、
ｂ）前記第２アンテナから前記ＲＦ信号を受信し、前記ＲＦ信号を無線受信機入力に結合するために結合される入力を有する第２可変ＲＦ信号レベル減衰器を使用するステップと、
ｃ）少なくとも１つのＲＦ信号レベル減衰器の減衰レベルを制御するために、少なくとも１つの前記可変ＲＦ信号レベル減衰器制御装置を使用するステップ
とを含み、それにより、前記第１および第２アンテナによって受信されるＲＦ信号が、少なくとも前記第１可変ＲＦ信号レベル減衰器を制御することによって、前記無線受信機入力に選択的に結合することができ、そこで、前記可変ＲＦ信号レベル減衰器制御装置の少なくとも１つが、前記第１アンテナからの履歴信号レベルが閾値信号レベル以下に低下するのを監視するマイクロプロセッサを含み、前記マイクロプロセッサが、前記第１アンテナから前記加算ノードに送達される現在の受信信号の減衰を実質的に連続的に増加し、前記第２アンテナから前記加算ノードに送達される現在の受信信号の減衰を実質的に連続的に減少するために、第１および第２反応ネットワークに制御電圧を供給することを特徴とするダイバーシティ受信方法。
【請求項２２】
少なくとも第１および第２アンテナのうちの少なくとも１つのアンテナから無線受信機に信号を結合するためのダイバーシティ受信装置であって、
ａ）前記第１アンテナからＲＦ信号を受信するために結合される入力を有し、前記ＲＦ信号加算ノードに結合される出力を有する第１可変ＲＦ信号レベル減衰器と、
ｂ）前記第２アンテナから前記ＲＦ信号を受信するために結合される入力を有し、前記ＲＦ信号加算ノードに結合される出力を有する第２可変ＲＦ信号レベル減衰器と、
ｃ）前記第１可変ＲＦ信号レベル減衰器に可変電圧を供給するために、前記第１可変ＲＦ信号レベル減衰器に結合される第１抵抗容量ネットワークと、
ｄ）前記第２可変ＲＦ信号レベル減衰器に前記可変電圧を供給するために、前記第２可変ＲＦ信号レベル減衰器に結合される第２抵抗容量ネットワークと、
ｅ）前記ＲＦ信号レベル減衰器の減衰レベルを制御するために少なくとも第１抵抗容量ネットワークに結合される少なくとも１つの可変ＲＦ信号レベル減衰器制御装置
とを備え、それにより前記第１および第２アンテナで受信され、前記ＲＦ加算ノードに結合される前記ＲＦ信号が、少なくとも前記第１可変ＲＦ信号レベル減衰器および前記第１抵抗容量ネットワークを制御することにより、前記無線受信機に選択的に結合できることを特徴とするダイバーシティ受信装置。
【請求項２３】
前記第１および第２可変ＲＦ信号レベル減衰器がＰＩＮダイオードであることを特徴とする請求項２２に記載のダイバーシティ受信装置。
【請求項２４】
前記第１および第２可変ＲＦ信号レベル減衰器がガリウム砒素電界効果トランジスタであることを特徴とする請求項２２に記載のダイバーシティ受信装置。
【請求項２５】
前記第１および第２可変ＲＦ信号レベル減衰器がバイポーラトランジスタであることを特徴とする請求項２２に記載のダイバーシティ受信装置。
【請求項２６】
前記可変ＲＦ信号レベル減衰器制御装置の少なくとも１つが反応ネットワークから構成されることを特徴とする請求項２２に記載のダイバーシティ受信装置。
【請求項２７】
前記可変ＲＦ信号レベル減衰器制御装置の少なくとも１つがＲ−Ｃ回路であることを特徴とする請求項２２に記載のダイバーシティ受信装置。
【請求項２８】
前記可変ＲＦ信号レベル減衰器制御装置の少なくとも１つがマイクロプロセッサを含むことを特徴とする請求項２２に記載のダイバーシティ受信装置。
【請求項２９】
前記第２減衰器に結合されるＲＦ信号レベル減衰器制御装置をさらに含むことを特徴とする請求項２２に記載のダイバーシティ受信装置。
【請求項３０】
前記可変ＲＦ信号レベル減衰器制御装置がアナログ出力電圧を供給するマイクロプロセッサであることを特徴とする請求項２２に記載のダイバーシティ受信装置。
【請求項３１】
前記マイクロプロセッサが、前記第１アンテナからの信号を減衰する前に、前記第２アンテナからの信号を減衰させないために動作する前記マイクロプロセッサを含むことを特徴とする請求項２２に記載のダイバーシティ受信装置。
【請求項３２】
前記第１アンテナからの前記信号の信号レベルが、前記無線受信機により発生される無線信号強度の相対的な信号強度インジケータによって示されることを特徴とする請求項２２に記載のダイバーシティ受信装置。
【請求項３３】
前記第１アンテナからの前記信号の信号レベルが、前記無線受信機によって検出される前記ＲＦ信号から復調される音声信号の雑音レベルを示す信号によって示されることを特徴とする請求項２２に記載のダイバーシティ受信装置。
【請求項３４】
前記ＲＦ信号加算ノードが、無線受信機入力に結合されることを特徴とする請求項２２に記載のダイバーシティ受信装置。
【請求項３５】
少なくとも第１および第２アンテナのうちの少なくとも１つのアンテナから無線受信機に信号を結合するためのダイバーシティ受信装置において、
ａ）前記第１アンテナからＲＦ信号を受信するために結合される入力と前記ＲＦ信号を無線受信機入力に供給する出力を有する第１可変ＲＦ信号レベル減衰器を使用するステップと、
ｂ）前記第２アンテナから前記ＲＦ信号を受信するために結合される入力と前記ＲＦ信号を前記無線受信機入力に供給する出力を有する第２可変ＲＦ信号レベル減衰器を使用するステップと、
ｃ）第１可変ＲＦ信号レベル減衰器に可変電圧を供給するために、第１可変ＲＦ信号レベル減衰器に結合される前記第１抵抗容量ネットワークを使用するステップと、
ｄ）第２可変ＲＦ信号レベル減衰器に前記可変電圧を供給するために、第２可変ＲＦ信号レベル減衰器に結合される前記第２抵抗容量ネットワークを使用するステップと、
ｅ）少なくとも１つの可変ＲＦ信号レベル減衰器の減衰レベルを制御するために、少なくとも前記第一可変ＲＦ信号レベル減衰器に結合された、少なくとも１つの可変ＲＦ信号レベル減衰器制御装置を使用するステップ
とを備え、それにより前記第１および第２アンテナのうちの少なくとも１つによって受信される前記ＲＦ信号が、それにより加算された前記第１および第２のアンテナからの信号におけるレベルを制御するための前記第１可変ＲＦ信号レベル減衰器を制御することによって前記無線受信機入力に選択的に結合することができることを特徴とするダイバーシティ受信方法。
【請求項３６】
前記第１および第２可変ＲＦ信号レベル減衰器がＰＩＮダイオードであることを特徴とする請求項３５に記載のダイバーシティ受信方法。
【請求項３７】
前記第１および第２可変ＲＦ信号レベル減衰器がガリウム砒素電界効果トランジスタであることを特徴とする請求項３５に記載のダイバーシティ受信方法。
【請求項３８】
前記第１および第２可変ＲＦ信号レベル減衰器がバイポーラトランジスタであることを特徴とする請求項３５に記載のダイバーシティ受信方法。
【請求項３９】
前記可変ＲＦ信号レベル減衰器制御装置の少なくとも１つが反応ネットワークから構成されることを特徴とする請求項３５に記載のダイバーシティ受信方法。
【請求項４０】
前記可変ＲＦ信号レベル減衰器制御装置の少なくとも１つがＲ−Ｃ回路であることを特徴とする請求項３５に記載のダイバーシティ受信方法。
【請求項４１】
前記可変ＲＦ信号レベル減衰器制御装置の少なくとも１つがマイクロプロセッサを含むことを特徴とする請求項３５に記載のダイバーシティ受信方法。
【請求項４２】
前記第２可変ＲＦ信号レベル減衰器に結合されるＲＦ信号レベル減衰器制御装置をさらに含むことを特徴とする請求項３５に記載のダイバーシティ受信方法。
【請求項４３】
前記可変ＲＦ信号減衰器制御装置の少なくとも１つが、アナログ出力電圧を供給するマイクロプロセッサであることを特徴とする請求項３５に記載のダイバーシティ受信方法。
【請求項４４】
前記可変ＲＦ信号レベル減衰器制御装置が、前記第１アンテナからの信号を減衰する前に、前記第２アンテナからの信号を減衰させない前記マイクロプロセッサを含むことを特徴とする請求項３５に記載のダイバーシティ受信方法。
【請求項４５】
前記第１アンテナからの前記信号の信号レベルが、前記無線受信機によって発生される無線信号強度の相対的な信号強度インジケータによって示されることを特徴とする請求項３５に記載のダイバーシティ受信方法。
【請求項４６】
前記第１アンテナからの前記信号の信号レベルが、前記無線受信機によって検出される前記ＲＦ信号から復調される音声信号の雑音レベルを示す信号によって示されることを特徴とする請求項３５に記載のダイバーシティ受信方法。
【請求項４７】
少なくとも第１および第２アンテナのうちの少なくとも１つのアンテナから無線受信機に信号を結合するためのダイバーシティ受信装置であって、
ａ）前記第１アンテナからＲＦ信号を受信するために結合される入力を有し、ＲＦ信号加算ノードに結合される出力を有する第１可変ＲＦ信号レベル減衰器と、
ｂ）前記第２アンテナから前記ＲＦ信号を受信するために結合される入力を有し、前記ＲＦ信号加算ノードに結合される出力を有する第２可変ＲＦ信号レベル減衰器と、
ｃ）前記ＲＦ信号レベル減衰器の減衰レベルを制御および前記第１アンテナからの前記履歴信号レベルの平均が閾値信号レベル以下に低下すると、マイクロプロセッサが、前記第１アンテナから前記加算ノードに送達される現在の受信信号の減衰を増加し、前記第２アンテナから前記加算ノードに送達される信号の減衰を減少するために、第１反応ネットワークと第２反応ネットワークに制御電圧を供給するような、少なくとも前記第１アンテナによって供給される信号レベルを監視するために少なくとも前記第１可変減衰器に結合される少なくとも１つの可変ＲＦ信号レベル減衰器制御装置
とを備え、それにより前記第１および第２アンテナで受信され、前記ＲＦ加算ノードに結合される前記ＲＦ信号が、少なくとも前記第１可変ＲＦ信号レベル減衰器を制御することにより、前記無線受信機に選択的に結合できることを特徴とするダイバーシティ受信装置。
【請求項４８】
前記第１および第２可変ＲＦ信号レベル減衰器がＰＩＮダイオードであることを特徴とする請求項４７に記載のダイバーシティ受信装置。
【請求項４９】
前記第１および第２可変ＲＦ信号レベル減衰器がガリウム砒素電界効果トランジスタであることを特徴とする請求項４７に記載のダイバーシティ受信装置。
【請求項５０】
前記第１および第２可変ＲＦ信号レベル減衰器がバイポーラトランジスタであることを特徴とする請求項４７に記載のダイバーシティ受信装置。
【請求項５１】
前記第１アンテナからの前記信号の信号レベルが、前記無線受信機により発生される無線信号強度の相対的な信号強度インジケータによって示されることを特徴とする請求項４７に記載のダイバーシティ受信装置。
【請求項５２】
前記第１アンテナからの前記信号の信号レベルが、前記無線受信機によって検出される前記ＲＦ信号から復調される音声信号の雑音レベルを示す信号によって示されることを特徴とする請求項４７に記載のダイバーシティ受信装置。
【請求項５３】
前記ＲＦ信号加算ノードが、無線受信機入力に結合されることを特徴とする請求項４７に記載のダイバーシティ受信装置。
【請求項５４】
少なくとも第１および第２アンテナのうちの少なくとも１つのアンテナから信号を結合するためのダイバーシティ受信方法において、
ａ）前記第１アンテナからＲＦ信号を受信し、前記ＲＦ信号を無線受信機入力に結合するために結合される入力を有する第１可変ＲＦ信号レベル減衰器を使用するステップと、
ｂ）前記第２アンテナから前記ＲＦ信号を受信し、前記ＲＦ信号を前記無線受信機入力に結合するために結合される入力を有する第２可変ＲＦ信号レベル減衰器を使用するステップと、
ｃ）少なくとも１つの可変ＲＦ信号レベル減衰器の減衰レベルを制御するために少なくとも前記第１可変減衰器に結合されるマイクロプロセッサ制御装置を使用するステップと、
ｄ）前記ＲＦ信号レベル減衰器の前記減衰レベルを制御および前記第１アンテナからの前記履歴信号レベルの平均が閾値信号レベル以下に低下すると、前記マイクロプロセッサが、前記第１アンテナから加算ノードに送達される現在の受信信号の減衰を増加し、前記第２アンテナから前記加算ノードに送達される信号の減衰を減少するために、第１反応ネットワークと第２反応ネットワークに制御電圧を供給するような、少なくとも前記第１アンテナによって供給される信号レベルを監視するために少なくとも前記第１可変減衰器に結合される少なくとも１つの可変ＲＦ信号レベル減衰器制御装置を使用するステップ
とを含み、それにより前記第１および第２アンテナのうちの少なくとも１つによって受信される前記ＲＦ信号が、前記第１可変ＲＦ信号レベル減衰器を制御することによって前記無線受信機入力に選択的に結合することができることを特徴とするダイバーシティ受信方法。
【請求項５５】
前記第１および第２可変ＲＦ信号レベル減衰器がＰＩＮダイオードであることを特徴とする請求項５４に記載のダイバーシティ受信方法。
【請求項５６】
前記第１および第２可変ＲＦ信号レベル減衰器がガリウム砒素電界効果トランジスタであることを特徴とする請求項５４に記載のダイバーシティ受信方法。
【請求項５７】
前記第１および第２可変ＲＦ信号レベル減衰器がバイポーラトランジスタであることを特徴とする請求項５４に記載のダイバーシティ受信方法。
【請求項５８】
前記マイクロプロセッサが、前記第１アンテナからの信号を減衰する前に、前記第２アンテナからの信号を減衰させないマイクロプロセッサを含むことを特徴とする請求項５４に記載のダイバーシティ受信方法。
【請求項５９】
前記第１アンテナからの前記信号の信号レベルが、前記無線受信機によって発生される無線信号強度の相対的な信号強度インジケータによって示されることを特徴とする請求項５４に記載のダイバーシティ受信方法。
【請求項６０】
前記第１アンテナからの前記信号の信号レベルが、前記無線受信機によって検出される前記ＲＦ信号から復調される音声信号の雑音レベルを示す信号によって示されることを特徴とする請求項５４に記載のダイバーシティ受信方法。
【請求項６１】
少なくとも２つのアンテナからのＲＦ信号を受信し、無線受信機へ結合する方法であって、
ａ）第１アンテナから前記ＲＦ信号を受信するステップと、
ｂ）第２アンテナから前記ＲＦ信号を受信するステップと、
ｃ）もし必要であれば、第１減衰信号を形成するために少なくとも第１減衰器から受信した前記ＲＦ信号を減衰するステップと、
ｄ）前記減衰信号と前記第２アンテナから受信した前記ＲＦ信号を加算するステップと、
ｅ）少なくとも前記第１アンテナからの前記ＲＦ信号の減衰レベルを制御するステップであって、前記第１アンテナから受信した前記ＲＦ信号の信号レベルが閾値信号レベル以下に低下すると、前記第１アンテナから受信した前記ＲＦ信号が更に減衰するように監視されるステップ
とを含み、それにより、前記第１および第２アンテナによって受信される前記ＲＦ信号が、前記第１アンテナによって受信した少なくとも前記ＲＦ信号の信号レベルを制御することによって、無線受信機入力に選択的に結合することができることを特徴とする方法。
【請求項６２】
少なくとも２つのアンテナからのＲＦ信号を無線受信機に結合するためのダイバーシティ受信方法であって、
ａ）第１アンテナから前記ＲＦ信号を受信するステップと、
ｂ）第２アンテナから前記ＲＦ信号を受信するステップと、
ｃ）もし必要であれば、第１および第２減衰信号をそれぞれ形成するために少なくとも第１および第２減衰器から受信した前記ＲＦ信号を減衰するステップと、
ｄ）前記第１および第２減衰信号を加算し、前記加算された信号を無線受信機入力に供給するステップと、
ｅ）少なくとも第１アンテナからの前記ＲＦ信号の減衰レベルを制御するステップであって、前記第１および第２アンテナから受信した前記ＲＦ信号の信号レベルの一つが閾値信号レベル以下に低下すると、前記対応したアンテナから受信した前記ＲＦ信号が更に減衰し、他のどのアンテナからの前記ＲＦ信号の減衰も減少するように監視されるステップ
とを含み、それにより、前記第１および第２アンテナによって受信される前記ＲＦ信号が、前記第１アンテナによって受信した少なくとも前記ＲＦ信号の信号レベルを制御することによって、前記無線受信機入力に選択的に結合することができることを特徴とする方法。